【手続補正書】
【提出日】平成18年4月5日(2006.4.5)
【手続補正１】
【補正対象書類名】明細書
【補正対象項目名】特許請求の範囲
【補正方法】変更
【補正の内容】
【特許請求の範囲】
【請求項１】  一対の前方矯正バンド、一対の後方矯正バンド、下顎弓エキスパンダーを拡大する第一の下顎拡大組立て品、並びに下顎弓エキスパンダーを伸長する第二の下顎弓拡大組立て品を有する該下顎弓エキスパンダー、
一対の他の前方矯正バンド、一対の他の後方矯正バンド、並びに上顎弓エキスパンダーを拡大する上顎拡大組立て品を有する該上顎弓エキスパンダー、及び
該上顎弓エキスパンダー及び下顎弓エキスパンダーの間に伸長してそれらを連結する入れ子式組立て品にして、第一の末端が該下顎弓エキスパンダーの該前方バンド及び後方バンドの一方に操作可能に連結し、第二の末端が該上顎弓エキスパンダーの該前方バンド及び後方バンドの他方に操作可能に連結している第一の末端と第二の末端を有し、管部品及び管部品にスライド可能に収納されたロッドを含み、矯正器具を用いた治療中、患者口腔内で管からロッドを外すことなく長さの調節が可能である、入れ子式組立て品、
を具備する、ヒト患者の下顎及び上顎弓を拡大及び伸長するための矯正器具。
【請求項２】  該入れ子式組立て品の第一の末端が該下顎弓エキスパンダーの該前方バンドに操作可能に連結し、該第二の末端が該上顎弓エキスパンダーの該後方バンドに操作可能に連結していることを特徴とする、請求項１に記載の矯正器具。
【請求項３】  該入れ子式組立て部品の管部品が、調節可能に連結しあう中空の後方管及び前方管を含み、該ロッドが該前方管の少なくとも部分を貫通し、該前方管が、上顎及び下顎弓エキスパンダーの一方に連結するように適合した取付け部を前端に有し、該ロッドが、上顎及び下顎弓エキスパンダーの他方に連結するように適合した取付け部を末端に有することを特徴とする、請求項１に記載の矯正器具。
【請求項４】  該前方管取付け部が該上顎弓エキスパンダーに連結するように適合しており、該ロッド取付け部が下顎弓エキスパンダーに連結するように適合していることを特徴とする、請求項３に記載の矯正器具。
【請求項５】  該前方管取付け部及びロッド取付け部の両方が穴を有する小環を有し、該下顎及び上顎弓エキスパンダーが該それぞれの矯正バンド上にボスを有し、該ボスが、該小環を該ボスに取り付ける留め具を受容するように適合していることを特徴とする、請求項３に記載の矯正器具。
【請求項６】  該留め具がねじであることを特徴とする、請求項５に記載の矯正器具。
【請求項７】  該前方管が、外側にねじ山の付いた後端を有する中空体を含み、該後方管が、内側にねじ山の付いた前端を有する孔を画定する中空体を含み、該後方管の孔が該前方管を受容するサイズであり、該後方管及び前方管がねじ山により連結することを特徴とする、請求項３に記載の矯正器具。
【請求項８】  該後方管が、前方管に対する後方管の位置を調整して管部品の全長を変えることのできる工具を受容する孔を有することを特徴とする、請求項７に記載の矯正器具。
【請求項９】  該前方管が、管部品の長さを知らせるインジケーターを有することを特徴とする、請求項８に記載の矯正器具。
【請求項１０】  一対の前方矯正バンド、及び一対の後方矯正バンドを有する下顎弓エキスパンダー、
一対の他の前方矯正バンド、及び一対の他の後方矯正バンドを有する上顎弓エキスパンダー、及び
一対の調節可能なコネクターにして、それぞれが伸長可能な管部品と、該伸長可能な管部品内に貫通して伸長するロッドとを含み、該伸長可能な管部品が、上顎弓エキスパンダーの該後方矯正バンドに連結するように適合した取付け部を第一の末端に有し、該ロッドが、下顎弓エキスパンダーの該前方矯正バンドに連結するように適合した取付け部を第二の末端に有し、該管部品が、入れ子式に連結しあう中空の後方管及び前方管を含み、該前方管が、外側にねじ山の付いた後端を有する中空体を含み、該後方管が、内側にねじ山の付いた前端を有する孔を画定する中空体を含み、該後方管の孔が該前方管を受容するサイズであり、該後方管及び前方管がねじ山により連結することを特徴とする該コネクター、
を包含する、ヒト患者の下顎及び上顎弓を拡大及び伸長するための矯正器具。
【請求項１１】  下顎弓エキスパンダーと上顎弓エキスパンダーを連結する伸長可能なコネクターにして、第一の末端が該下顎弓エキスパンダーに連結するように適合し、該第二の末端が該上顎弓エキスパンダーに連結するように適合している第一の末端と第二の末端を有し、管部品及び管部品にスライド可能に収納されたロッドを含み、矯正器具を用いた治療中、患者口腔内で長さの調節が可能であり、調節可能に連結しあう中空の後方管及び前方管を含み、該ロッドが該前方管の少なくとも部分を貫通し（ここで該前方管が、上顎及び下顎弓エキスパンダーの一方に連結するように適合した取付け部を前端に有し、該ロッドが、上顎及び下顎弓エキスパンダーの他方に連結するように適合した取付け部を末端に有し、該前方管が、外側にねじ山の付いた後端を有する中空体を含み、該後方管が、内側にねじ山の付いた前端を有する孔を画定する中空体を含み、該後方管の孔が該前方管を受容するサイズであり、該後方管及び前方管がねじ山により連結する）ことを特徴とする、伸長可能なコネクター。
【請求項１２】  一対の前方矯正バンド、及び一対の後方矯正バンドを有する下顎弓エキスパンダー、
一対の前方矯正バンド、及び一対の後方矯正バンドを有する上顎弓エキスパンダー、及び
一対の調節可能なコネクターにして、それぞれが伸長可能な管部品と、該伸長可能な管部品内に貫通して伸長するロッドとを含み、該伸長可能な管部品が、上顎弓エキスパンダーの該後方矯正バンドに連結するように適合した取付け部を第一の末端に有し、該ロッドが、下顎弓エキスパンダーの該前方矯正バンドに連結するように適合した取付け部を第二の末端に有し、該管部品が、入れ子式に連結しあう中空の後方管及び前方管を含み、該ロッドが組立てに際して該後方管及びそれに連結した前方管を貫通することを特徴とするコネクター、
を包含する、ヒト患者の下顎及び上顎弓を拡大及び伸長するための矯正器具。
【請求項１３】  下顎弓エキスパンダーと上顎弓エキスパンダーを連結する伸長可能なコネクターにして、第一の末端と第二の末端を有し（ここで該第一の末端は該下顎弓エキスパンダーに連結するように適合し、該第二の末端は該上顎弓エキスパンダーに連結するように適合する）、管部品及び管部品にスライド可能に収納されたロッドを含み、矯正器具を用いた治療中、患者口腔内で長さの調節が可能であり、該管部品が調節可能に連結しあう中空の後方管及び前方管を含み、該ロッドが該後方管及びそれに連結した前方管を貫通し、該前方管が、上顎及び下顎弓エキスパンダーの一方に連結するように適合した取付け部を前端に有し、該ロッドが、上顎及び下顎弓エキスパンダーの他方に連結するように適合した取付け部を末端に有し、該前方管取付け部及びロッド取付け部の両方が、留め具を通す穴を有する小環を有することを特徴とする、コネクター。
【請求項１４】  該後方管が、前方管に対する後方管の位置を調整してコネクターの全長を変えることのできる工具を受容する孔を有することを特徴とする、請求項１０に記載の矯正器具。
【請求項１５】  該前方管が、コネクターの長さを知らせるインジケーターを有することを特徴とする、請求項８に記載の矯正器具。
【請求項１６】  該前方管が、管部品の長さを知らせるインジケーターを有することを特徴とする、請求項１１に記載の伸長可能なコネクター。
【請求項１７】  弧線を取付けるための開口部を有する、矯正バンドに取付けるためのベース部分、及びねじ山付きの孔を有する本体部分を含むベースケーシング、並びに
歯列弓拡大組立て品の小環に取付ける、該ねじ山付き孔にねじ込んで噛み合うねじ、
を包含する、矯正バンドに歯列弓拡大組立て品のピボット式取付けボスを取付けるためのピボット式取付けボス部品。
【請求項１８】  該ベース部分がはんだ付けによって矯正バンドに取付けられていることを特徴とする、請求後１７に記載の取付けボス部品。
【請求項１９】  下顎弓エキスパンダーにして、一対の前方矯正バンド、一対の後方矯正バンド、該下顎弓エキスパンダーを拡大する第一の下顎拡大組立て品、並びに該下顎弓エキスパンダーを伸長する第二の下顎弓拡大組立て品を有するエキスパンダーを包含する、ヒト患者の下顎及び上顎弓を拡大及び伸長するための矯正器具にして、
弧線を取付けるための開口部を有するベース部分、及びそのベース部分から伸長しねじ山付きの孔を有する本体部分を含むベースケーシング、並びに
該ねじ山付き孔にねじ込んで噛み合うねじ、
を具備した、矯正バンドに下顎弓エキスパンダーのピボット式取付け具を取付けるためのピボット式コネクター、
を含む改良された矯正器具。
【請求項２０】  該下顎弓エキスパンダーが、該ねじを導入して通すための穴を有する小環を含むことを特徴とする、請求項１９に記載の矯正器具。
【請求項２１】  一対の前方矯正バンド、及び一対の後方矯正バンドを有する下顎弓エキスパンダー、
一対の前方矯正バンド、及び一対の後方矯正バンドを有する上顎弓エキスパンダー、及び
一対の調節可能なコネクターにして、それぞれが伸長可能な管部品と、該伸長可能な管部品内に貫通して伸長するロッドとを含み、該伸長可能な管部品が、上顎弓エキスパンダーの該後方矯正バンド上のピボット式取付けボス部品に連結するように適合した取付け部を第一の末端に有し、該ロッドが、下顎弓エキスパンダーの該前方矯正バンド上のピボット式取付けボス部品に連結するように適合した取付け部を第二の末端に有するコネクターを具備し、
さらに、該ピボット式取付けボス部品はそれぞれ、弧線を取付けるための開口部を有するベース部分、及びねじ山付きの孔を有する本体部分を含む、矯正バンド取付け用ベースケーシング、並びに該取付け部に挿入可能で、該ねじ山付き孔にねじ込んで噛み合うねじを包含する、ヒト患者の下顎及び上顎弓を拡大及び伸長するための矯正器具。
【請求項２２】  管部品が、入れ子式に連結しあう中空の後方管及び前方管を含むことを特徴とする、請求項２１に記載の矯正器具。
【請求項２３】  該前方管が、外側にねじ山の付いた後端を有する中空体を含み、該後方管が、内側にねじ山の付いた前端を有する孔を画定する中空体を含み、該後方管の孔が該前方管を受容するサイズであり、該後方管及び前方管がねじ山により連結することを特徴とする、請求項２１に記載の矯正器具。
【請求項２４】  該後方管が、前方管に対する後方管の位置を調整してコネクターの全長を変えることのできる工具を受容する孔を有することを特徴とする、請求項２１に記載の矯正器具。
【請求項２５】  該前方管が、コネクターの長さを知らせるインジケーターを有することを特徴とする、請求項８に記載の矯正器具。